(57)【特許請求の範囲】
【請求項１】
吸収体を有する内装体と、胴周り開口部及び一対の脚周り開口部を有する外装体とを備え、丈方向、周囲方向及び厚さ方向を有する、パンツ型且つ使い捨ての吸収性物品であって、
前記吸収性物品が、前記一対の脚周り開口部の間のクロッチ領域と、当該クロッチ領域の前記丈方向の上方に隣接する胴周り領域とを有し、
前記外装体が、前記胴周り領域において、前記吸収体と前記厚さ方向に重複する重複領域と、前記吸収体と前記厚さ方向に重複しない非重複領域と、それらの間に配置され且つ前記吸収体の外縁と前記厚さ方向に重複する境界部とを有し、そして
前記非重複領域における前記外装体の最大厚さが、前記重複領域における前記外装体の最大厚さよりも厚い、
ことを特徴とする、前記吸収性物品。
【請求項２】
２０％圧縮試験後に、前記非重複領域における前記外装体の最大厚さが、前記重複領域における前記外装体の最大厚さよりも厚い、請求項１に記載の吸収性物品。
【請求項３】
前記外装体が、前記境界部の少なくとも一部を含むように複数の襞部を備える、請求項１又は２に記載の吸収性物品。
【請求項４】
前記境界部が、丈方向境界部と、周囲方向境界部とに区画され、前記外装体が、前記丈方向境界部を含むように前記複数の襞部を備える、請求項３に記載の吸収性物品。
【請求項５】
前記複数の襞部が、前記丈方向境界部と交差する方向に延びている、請求項４に記載の吸収性物品。
【請求項６】
前記外装体が、前記胴周り開口部から、前記丈方向の下方に延び且つ前記胴周り領域内に配置された外側シートと、当該外側シートより内側に配置された内側シートとを備え、前記複数の襞部のそれぞれが、前記外側シートの一部から構成される突出部と、前記内側シートの一部から構成される基部と、前記突出部を前記基部に固定する固定部とを備える、請求項３〜５のいずれか一項に記載の吸収性物品。
【請求項７】
前記複数の襞部のそれぞれにおいて、前記固定部が、少なくとも前記襞部の延びる方向に沿って連続的又は間欠的に配置されており、少なくとも前記襞部の延びる方向に沿って連続的又は間欠的に配置されている前記固定部が、前記吸収性物品の丈方向中心線が延びる方向と交差する方向に延びている、請求項６に記載の吸収性物品。
【請求項８】
前記非重複領域に存在する前記複数の襞部のそれぞれにおいて、前記突出部の幅が、前記基部の幅よりも１．５〜５．０倍大きい、請求項６又は７に記載の吸収性物品。
【請求項９】
前記内側シートが、前記周囲方向に延びる、上側伸縮部と、当該上側伸縮部よりも前記丈方向の下側に配置された下側伸縮部とを備え、前記外装体が、前記下側伸縮部と、前記外側シートとが、前記固定部を除いて連結していない非連結領域を有する、請求項６〜８のいずれか一項に記載の吸収性物品。
【請求項１０】
前記複数の襞部が、１０〜３０ｍｍの幅を有するものを含む、請求項３〜９のいずれか一項に記載の吸収性物品。
【請求項１１】
前記外装体が、延びる方向の異なる、前記複数の襞部を備える、請求項３〜１０のいずれか一項に記載の吸収性物品。
【請求項１２】
前記外装体が、前記重複領域において、襞部の存在しない襞部非存在領域を有する、請求項１〜１１のいずれか一項に記載の吸収性物品。
【発明の詳細な説明】
【技術分野】
【０００１】
本開示は、パンツ型且つ使い捨ての吸収性物品に関する。
【背景技術】
【０００２】
パンツ型且つ使い捨ての吸収性物品として、例えば、使い捨ておむつ、使い捨てショーツ等が知られている。
例えば、特許文献１には、外装体と、外装体の内面側に固定されている吸収性本体とを備え、外装体は、着用者の腹側に配される腹側部と、股間部に配される股下部と、背側に配される背側部とを有し、腹側部の側縁部と背側部の側縁部とが接合されて一対のサイドシール部が形成されているパンツ型吸収性物品であって、外装体は、前記物品の外面をなす外層シートと、外層シートの内面側に配された内層シートとを備えており、該物品の幅方向に沿って伸縮性を有しており、外装体には、前記物品の長手方向に延びる襞が、該物品の幅方向にわたって形成されており、外装体の外層シートと内層シートの間には、外層シートの前記襞と内層シートの前記襞とによって周囲を囲まれた中空部が形成されており、弛緩状態下の外装体に形成された前記襞は、その高さが、前記物品の幅方向の中央域よりも、中央域の側方に位置する側部域の方が高くなっている、パンツ型吸収性物品が記載されている。
【先行技術文献】
【特許文献】
【０００３】
【特許文献１】特開２０１５−１００５８７号公報
【発明の概要】
【発明が解決しようとする課題】
【０００４】
上記吸収性物品では、胴周り領域に緻密な襞が形成されているが、当該緻密な襞が、使用者に、使い捨て物品感を与えることがある。また、上記吸収性物品では、幅方向の中央域の襞の高さよりも、中央域の側方に位置する側部域の襞の高さが高い設計がなされているが、襞が基部に固定されていないため、複数の吸収性物品がパッケージに収納された状態において襞が潰れ、吸収性物品の外観から吸収体の形状が判別でき、使用者に使い捨て物品感を与えるものであった。
従って、本開示は、使い捨て物品感の少ない吸収性物品を提供することを目的とする。
【課題を解決するための手段】
【０００５】
本開示者らは、吸収体を有する内装体と、胴周り開口部及び一対の脚周り開口部を有する外装体とを備え、丈方向、周囲方向及び厚さ方向を有する、パンツ型且つ使い捨ての吸収性物品であって、上記吸収性物品が、上記一対の脚周り開口部の間のクロッチ領域と、当該クロッチ領域の上記丈方向の上方に隣接する胴周り領域とを有し、上記外装体が、上記胴周り領域において、上記吸収体と上記厚さ方向に重複する重複領域と、上記吸収体と上記厚さ方向に重複しない非重複領域と、それらの間に配置され且つ上記吸収体の外縁と上記厚さ方向に重複する境界部とを有し、そして上記非重複領域における上記外装体の最大厚さが、上記重複領域における上記外装体の最大厚さよりも厚いことを特徴とする吸収性物品を見出した。
【発明の効果】
【０００６】
本開示の吸収性物品は、使い捨て物品感が少ない。
【図面の簡単な説明】
【０００７】
【図１】図１は、第１実施形態に従う吸収性物品１の正面図である。
【図２】図２は、第１実施形態に従う吸収性物品１の背面図である。
【図３】図３は、図１のＩＩＩ−ＩＩＩ端面における端面図である。
【図４】図４は、複数の襞部１５と、複数の襞部１６とを説明するための図である。
【図５】図５は、第１実施形態に従う吸収性物品１の正面側の斜視図である。
【図６】図６は、第１実施形態に従う吸収性物品１の背面側の斜視図である。
【図７】図７は、図５のＶＩＩ−ＶＩＩ端面における端面図である。
【図８】図８は、吸収性物品１の内面の展開図である。
【図９】図９は、吸収性物品１の外面の展開図である。
【発明を実施するための形態】
【０００８】
［定義］
・「自然状態」
本明細書において、「自然状態」は、本開示のパンツ型且つ使い捨ての吸収性物品を、積み重ねず、すなわち、単独で、テンションを加えずに基材上に置いた状態、又は使用者がテンションを加えずに保持した状態を意味する。なお、本明細書では、特に断りのない限り、上記自然状態を対象としている。
・「展開状態」
本明細書において、「展開状態」は、本開示のパンツ型且つ使い捨ての吸収性物品を展開し、吸収性物品を構成するシートを伸長させた状態（伸縮部材を伸縮させない状態）を意味する。
【０００９】
・「上方」及び「下方」
本明細書では、「上方」及び「下方」は、それぞれ、丈方向の上方及び下方を意味する。
・「上側」及び「下側」
本明細書では、「上側」及び「下側」は、２つの比較すべき構成部材について用いられる用語であり、そしてそれぞれ、丈方向の上側及び下側を意味する。
・「外側」及び「内側」
本明細書では、「外側」及び「内側」は、２つの比較すべき構成部材について用いられる用語であり、それぞれ、着用時を基準として、着用者の肌から遠い側及び着用者の肌に近い側を意味する。
【００１０】
本開示は、以下の態様に関する。
［態様１］
吸収体を有する内装体と、胴周り開口部及び一対の脚周り開口部を有する外装体とを備え、丈方向、周囲方向及び厚さ方向を有する、パンツ型且つ使い捨ての吸収性物品であって、
上記吸収性物品が、上記一対の脚周り開口部の間のクロッチ領域と、当該クロッチ領域の上記丈方向の上方に隣接する胴周り領域とを有し、
上記外装体が、上記胴周り領域において、上記吸収体と上記厚さ方向に重複する重複領域と、上記吸収体と上記厚さ方向に重複しない非重複領域と、それらの間に配置され且つ上記吸収体の外縁と上記厚さ方向に重複する境界部とを有し、そして
上記非重複領域における上記外装体の最大厚さが、上記重複領域における上記外装体の最大厚さよりも厚い、
ことを特徴とする、上記吸収性物品。
【００１１】
使い捨ての吸収性物品では、自然状態において、吸収体の厚さに起因する吸収体部分の形状の外部への突出、吸収体の色の透過に起因する吸収体部分の色の相違等から、吸収体の存在が吸収性物品の外観から分かる場合があり、それらの観点から、使用者が、吸収性物品に使い捨ての物品感を覚えることがある。上記吸収性物品では、非重複領域における外装体の最大厚さが、重複領域における外装体の最大厚さよりも厚い（以下、「所定の厚さ要件」と称する場合がある）ので、自然状態の吸収性物品において、吸収体部分の形状を外部から把握しにくい。従って、使用者が、吸収性物品の外観から吸収体の存在を感じにくくなり、そして使用者が、上記吸収性物品に使い捨て物品感を覚えにくくなる。
【００１２】
［態様２］
２０％圧縮試験後に、上記非重複領域における上記外装体の最大厚さが、上記重複領域における上記外装体の最大厚さよりも厚い、態様１に記載の吸収性物品。
【００１３】
上記吸収性物品は、所定の条件で加圧された後に所定の厚さ要件を満たすので、上記吸収性物品が、パッケージ等から取り出された直後に、吸収体部分の形状を外部から把握しにくい。従って、使用者が、吸収性物品の外観から吸収体の存在を感じにくくなり、そして使用者が、上記吸収性物品に使い捨て物品感を覚えにくくなる。
【００１４】
［態様３］
上記外装体が、上記境界部の少なくとも一部を含むように複数の襞部を備える、態様１又は２に記載の吸収性物品。
【００１５】
上記境界部は、吸収体の外縁と、吸収性物品の厚さ方向に重複する位置に存在するので、使用者は、上記境界部において、吸収体が存在する部分と、吸収体が存在しない部分との状態の差を最も感じやすい。
上記吸収性物品では、外装体が、境界部の少なくとも一部を含むように複数の襞部を備えるので、吸収体の形状が外部から把握しにくく、そして吸収体部分の色の相違が外部から見えにくい。従って、使用者が、吸収性物品の外観から吸収体の存在を感じにくく、そして使用者が、上記吸収性物品に使い捨て物品感を覚えにくくなる。
【００１６】
［態様４］
上記境界部が、丈方向境界部と、周囲方向境界部とに区画され、上記外装体が、上記丈方向境界部を含むように上記複数の襞部を備える、態様３に記載の吸収性物品。
【００１７】
人間の目は、上下の状態の相違よりも左右の状態の相違に気づきやすい傾向がある。一般的に、使用者は、吸収性物品を使用するに当たり、吸収性物品を、胴周り開口部が上を向くように保持する。使用者が、吸収性物品をそのように保持した場合に、使用者は、吸収体の丈方向の外縁（すなわち、丈方向境界部）における左右の状態の相違の方が、吸収体の胴周り方向の外縁（すなわち、周囲方向境界部）における上下の状態の相違よりも気づきやすい傾向がある。
【００１８】
そのような状況の下、上記吸収性物品では、外装体が、使用者がより気になりやすい丈方向境界部に複数の襞部を備えるので、従って、使用者が、吸収性物品の外観から吸収体の存在を感じにくくなり、そして使用者が、上記吸収性物品に使い捨て物品感を覚えにくくなる。
【００１９】
［態様５］
上記複数の襞部が、上記丈方向境界部と交差する方向に延びている、態様４に記載の吸収性物品。
【００２０】
上記吸収性物品では、複数の襞部が、丈方向境界部と交差する方向に延びているので、使用者が、丈方向境界部と交差する方向に延びている複数の襞部に着目しやすくなる一方で、使用者が、丈方向境界部における外装体の左右の状態の相違に着目しにくくなる。従って、使用者が、吸収性物品の外観から吸収体の存在を感じにくく、そして使用者が、上記吸収性物品に使い捨て物品感を覚えにくくなる。
【００２１】
［態様６］
上記外装体が、上記胴周り開口部から、上記丈方向の下方に延び且つ上記胴周り領域内に配置された外側シートと、当該外側シートより内側に配置された内側シートとを備え、上記複数の襞部のそれぞれが、上記外側シートの一部から構成される突出部と、上記内側シートの一部から構成される基部と、上記突出部を上記基部に固定する固定部とを備える、態様３〜５のいずれか一項に記載の吸収性物品。
【００２２】
上記吸収性物品では、複数の襞部のそれぞれが、突出部、基部及び固定部を備え、突出部が、固定部を介して基部に固定されているので、突状部が、上記吸収性物品の厚さ方向の圧縮力に強く、例えば、吸収性物品が、パッケージ等の中で圧縮された状態で長期間保管されたとしても、突出部が潰れにくくなる。その結果、自然状態の吸収性物品において、突出部と、基部との間に空隙が生じやすくなり、吸収体の形状が外部から把握しにくく、そして吸収体部分の色の相違が外部から見えにくくなる。従って、使用者が、吸収性物品の外観から吸収体の存在を感じにくく、そして使用者が、上記吸収性物品に使い捨て物品感を覚えにくくなる。
【００２３】
［態様７］
上記複数の襞部のそれぞれにおいて、上記固定部が、少なくとも上記襞部の延びる方向に沿って連続的又は間欠的に配置されており、少なくとも上記襞部の延びる方向に沿って連続的又は間欠的に配置されている上記固定部が、上記吸収性物品の丈方向中心線が延びる方向と交差する方向に延びている、態様６に記載の吸収性物品。
【００２４】
上記吸収性物品では、襞部が延びる方向に沿って連続的又は間欠的に配置されている固定部が、吸収性物品の幅方向の中心を通り且つ吸収性物品の丈方向に延びる直線である丈方向中心線の延びる方向と交差する方向に延びているので、襞部が、丈方向中心線と延びる方向と交差する方向に延びやすく、そして襞部が、丈方向境界部が延びる方向と交差する方向に延びやすくなる。従って、使用者が、丈方向境界部と交差する方向に延びている複数の襞部に着目しやすくなる一方で、使用者が、丈方向境界部における外装体の左右の状態の相違に着目しにくくなる。従って、使用者が、吸収性物品の外観から吸収体の存在を感じにくく、そして使用者が、上記吸収性物品に使い捨て物品感を覚えにくくなる。
【００２５】
［態様８］
上記非重複領域に存在する上記複数の襞部のそれぞれにおいて、上記突出部の幅が、上記基部の幅よりも１．５〜５．０倍大きい、態様６又は７に記載の吸収性物品。
【００２６】
上記吸収性物品では、上記非重複領域に存在する複数の襞部のそれぞれにおいて、突出部の幅が、基部の幅に対して所定の範囲にある。従って、非重複領域に存在する襞部において、突状部と基部との間に空隙が生じやすくなる。その結果、自然状態の吸収性物品において、吸収体の形状が外部から把握しにくくなり、そして吸収体部分の色の相違が外部から見えにくくなる。従って、使用者が、吸収性物品の外観から吸収体の存在を感じにくくなり、そして使用者が、上記吸収性物品に使い捨て物品感を覚えにくくなる。
【００２７】
［態様９］
上記内側シートが、上記周囲方向に延びる、上側伸縮部と、当該上側伸縮部よりも上記丈方向の下側に配置された下側伸縮部とを備え、上記外装体が、上記下側伸縮部と、上記外側シートとが、上記固定部を除いて連結していない非連結領域を有する、態様６〜８のいずれか一項に記載の吸収性物品。
【００２８】
上記吸収性物品では、外装体の内側シートが、上側伸縮部及び下側伸縮部を備えるとともに、外装体が所定の非連結領域を有するので、当該非連結領域において、下側伸縮部が、外側シートの剛性の影響を受けにくくなり、上記外装体、ひいては上記吸収性物品が、着用時のフィット性に優れる。また、上記吸収性物品では、上記非連結部において、外側シートが、下側伸縮部の収縮に伴う皺を有しにくくなり、上記吸収性物品は、外側シートの美観に優れ、そして使用者が、上記吸収性物品に下着感を覚えやすい。
【００２９】
［態様１０］
上記複数の襞部が、１０〜３０ｍｍの幅を有するものを含む、態様３〜９のいずれか一項に記載の吸収性物品。
【００３０】
上記吸収性物品では、複数の襞部が所定の幅を有するので、使用者が、複数の襞部に規則性を感じにくくなり、使用者が、上記吸収性物品に使い捨て物品感を覚えにくくなる。また、上記吸収性物品では、複数の襞部が所定の幅を有するので、複数の襞部が向く方向等に規則性が生じにくくなり、使用者が、上記吸収性物品に使い捨て物品感を覚えにくくなる。
【００３１】
［態様１１］
上記外装体が、延びる方向の異なる、上記複数の襞部を備える、態様３〜１０のいずれか一項に記載の吸収性物品。
【００３２】
上記吸収性物品では、複数の襞部の延びる方向が異なっているので、使用者が、複数の襞部に規則性を感じにくくなり、上記吸収性物品に使い捨て物品感を覚えにくくなり、そして下着感を覚えやすい。
【００３３】
［態様１２］
上記外装体が、上記重複領域において、襞部の存在しない襞部非存在領域を有する、態様１〜１１のいずれか一項に記載の吸収性物品。
【００３４】
上記吸収性物品では、外装体が、所定の襞部非存在領域を有するので、本開示の吸収性物品が、所定の厚さ要件を満たしやすくなる。従って、使用者が、吸収性物品の外観から吸収体の存在を感じにくくなり、そして使用者が、上記吸収性物品に使い捨て物品感を覚えにくくなる。
【００３５】
本開示のパンツ型且つ使い捨ての吸収性物品（以下、単に「吸収性物品」と称する場合がある）について、以下、詳細に説明する。
図１〜図９は、本開示の実施形態の１つ（以下、「第１実施形態」と称する）に従う吸収性物品１、具体的には、パンツ型の使い捨ておむつを説明するための図である。
【００３６】
具体的には、図１及び図２は、それぞれ、吸収性物品１の正面図及び背面図である。図３は、図１のＩＩＩ−ＩＩＩ端面における端面図である。図４は、複数の襞部１５と、複数の襞部１６とを説明するための図であり、図３に相当する端面図である。図５及び図６は、それぞれ、吸収性物品１の正面側及び背面側の斜視図である。図７は、図５のＶＩＩ−ＶＩＩ端面における端面図である。図８は、吸収性物品１の内面の展開図である。図９は、吸収性物品１の外面の展開図であり、固定部２５を説明するための図である。
【００３７】
なお、図１〜図４は、自然状態における吸収性物品１を表しており、図５〜図７は、着用状態をイメージした吸収性物品１を表しており、そして図８及び図９は、展開状態における吸収性物品１を表している。
また、図１〜図９には、脚周り開口部１１に沿って内装体３に配置された弾性部材１０３，脚周り開口部１２に沿って内装体３に配置された弾性部材１０４，並びに内装体３が備える防漏壁１０５及び防漏壁１０６が示されているが、当技術分野で公知のものであるので、説明を省略する。
【００３８】
第１実施形態に従う吸収性物品１は、吸収体５を有する内装体３と、胴周り開口部９及び一対の脚周り開口部１１及び脚周り開口部１２を有する外装体７とを備え、丈方向Ｌ、周囲方向Ｐ及び厚さ方向Ｔを有する。
吸収性物品１は、一対の脚周り開口部１１及び脚周り開口部１２の間のクロッチ領域Ｃと、クロッチ領域Ｃの丈方向Ｌの上方に隣接する胴周り領域Ｗとを有する。吸収性物品１はまた、前身頃１３及び後身頃１４とに区画され、胴周り領域Ｗは、前身頃１３及び後身頃１４に渡って、周囲方向Ｐに一周している。
【００３９】
外装体７は、胴周り領域Ｗにおいて、吸収体５と厚さ方向Ｔに重複する重複領域Ｘと、吸収体５と厚さ方向Ｔに重複しない非重複領域Ｙと、重複領域Ｘ及び非重複領域Ｙの間に配置され、そして吸収体５の外縁６と厚さ方向Ｔに重複する境界部Ｂとを有する。吸収性物品１では、非重複領域Ｙにおける外装体７の最大厚さＬYが、重複領域Ｘにおける外装体７の最大厚さＬXよりも厚い。
【００４０】
外装体７は、前身頃１３において、丈方向境界部ＢLと、周囲方向境界部ＢPとに区画される境界部Ｂを有する。外装体７は、前身頃１３において、重複領域Ｘ、非重複領域Ｙ及び境界部Ｂに、複数の襞部１５を有する。また、外装体７は、丈方向境界部ＢLの一部を含むように、そして周囲方向境界部ＢPの一部を含むように、複数の襞部１５を有する。複数の襞部１５は、丈方向、具体的には、丈方向境界部ＢLと交差する方向に延伸しており、そして周囲方向Ｐに並んでいる。また、複数の襞部１５のそれぞれは、外側（丈方向中心線から遠ざかる方向）を向いている。
外装体７は、前身頃１３の重複領域Ｘに、襞部の存在しない襞部不存在領域Ｚを有する。
【００４１】
また、外装体７は、後身頃１４において、丈方向境界部ＢLと、周囲方向境界部ＢPとに区画される境界部Ｂを有する。外装体７は、前身頃１３において、重複領域Ｘ、非重複領域Ｙ及び境界部Ｂに、複数の襞部１６を有する。また、外装体７は、丈方向境界部ＢLの一部を含むように、そして周囲方向境界部ＢPの一部を含むように、複数の襞部１６を有する。複数の襞部１６は、丈方向、具体的には、丈方向境界部ＢLと交差する方向に延伸しており、そして周囲方向Ｐに並んでいる。また、複数の襞部１６のそれぞれは、外側（丈方向中心線から遠ざかる方向）を向いている。
外装体７は、後身頃１４の重複領域Ｘに、襞部の存在しない襞部不存在領域Ｚを有する。
【００４２】
図７に示されるように、外装体７は、前身頃１３において、胴周り開口部９から、丈方向Ｌの下方に延び且つ胴周り領域Ｗに配置された外側シート１７と、外側シート１７より内側に配置された内側シート１９とを備えている。内側シート１９は、第１内側シート３１及び第２内側シート３３とから構成されている。内側シート１９は、周囲方向Ｐに延びる上側伸縮部３５と、上側伸縮部３５よりも丈方向Ｌの下側に配置され、周囲方向Ｐに延びる下側伸縮部３７とを備える。上側伸縮部３５及び下側伸縮部３７のそれぞれは、所定の間隔を開けて配置された、複数本の糸状ゴムから構成される。
【００４３】
上側伸縮部３５は、伸長状態で、第１内側シート３１と、外側シート１７とに接着剤で固定されている。換言すると、上側伸縮部３５は、着用状態において収縮力を示すように、第１内側シート３１と、外側シート１７とに接着剤で固定されている。下側伸縮部３７は、伸長状態で、第１内側シート３１と、第２内側シート３３とに接着剤で固定されている。換言すると、下側伸縮部３７は、着用状態において収縮力を示すように、第１内側シート３１と、第２内側シート３３とに接着剤で固定されている。そうすることにより、吸収性物品１を、着用者の体にフィットさせることができる。
【００４４】
なお、外装体７は、前身頃１３において、前身頃１３と、後身頃１４とを接合する接合部１０１及び接合部１０２、並びに固定部２５を除いて、下側伸縮部３７と、外側シート１７とが連結していない非連結領域（図示せず）を有する。すなわち、外装体７の前身頃１３では、下側伸縮部３７と厚さ方向Ｔに重複する範囲の大部分が、非連結領域である。
【００４５】
同様に、図４及び図７に示されるように、外装体７は、後身頃１４において、胴周り開口部９から、丈方向Ｌの下方に延び且つ胴周り領域Ｗに配置された外側シート１８と、外側シート１８より内側に配置された内側シート２０とを備えている。内側シート２０は、第１内側シート３２及び第２内側シート３４とから構成されている。内側シート２０は、周囲方向Ｐに延びる上側伸縮部３６と、上側伸縮部３６よりも丈方向Ｌの下側に配置され、周囲方向Ｐに延びる下側伸縮部３８とを備える。上側伸縮部３６及び下側伸縮部３８のそれぞれは、所定の間隔を開けて配置された、複数本の糸状ゴムから構成される。
【００４６】
上側伸縮部３６は、伸長状態で、第１内側シート３２と、外側シート１８とに接着剤で固定されている。換言すると、上側伸縮部３６は、着用状態において収縮力を示すように、第１内側シート３２と、外側シート１８とに接着剤で固定されている。下側伸縮部３８は、伸長状態で、第１内側シート３２と、第２内側シート３４とに接着剤で固定されている。換言すると、下側伸縮部３８は、着用状態において収縮力を示すように、第１内側シート３２と、第２内側シート３４とに接着剤で固定されている。そうすることにより、吸収性物品１を、着用者の体にフィットさせることができる。
【００４７】
なお、外装体７は、後身頃１４において、前身頃１３と、後身頃１４とを接合する接合部１０１及び接合部１０２、並びに固定部２６を除いて、下側伸縮部３８と、外側シート１８とが連結していない非連結領域（図示せず）を有する。すなわち、外装体７の後身頃１４では、下側伸縮部３８と厚さ方向Ｔに重複する範囲の大部分が、非連結領域である。
【００４８】
前身頃１３の上側伸縮部３５と、後身頃１４の上側伸縮部３６とは、前身頃１３と、後身頃１４とを接合する接合部１０１及び接合部１０２において接合されている。また、前身頃１３の下側伸縮部３７と、後身頃１４の下側伸縮部３８とは、前身頃１３と、後身頃１４とを接合する接合部１０１及び接合部１０２において接合されている。
【００４９】
図４に示されるように、前身頃１３では、複数の襞部１５のそれぞれが、外側シート１７の一部から構成される突出部２１と、内側シート１９の一部（詳細には、第２内側シート３３の一部）から構成される基部２３と、突出部２１を基部２３に固定する固定部２５とを備える。換言すると、固定部２５は、突出部２１を構成する外側シート１７を、基部２３を構成する第２内側シート３３に固定している。
【００５０】
同様に、図４に示されるように、後身頃１４では、複数の襞部１６のそれぞれが、外側シート１８の一部から構成される突出部２２と、内側シート２０の一部（詳細には、第２内側シート３４の一部）から構成される基部２４と、突出部２２を基部２４に固定する固定部２６とを備える。換言すると、固定部２６は、突出部２２を構成する外側シート１８を、基部２４を構成する第２内側シート３４に固定している。
【００５１】
なお、前身頃１３及び後身頃１４を接合する接合部１０１は、固定部２５及び固定部２６としても機能し、そして前身頃１３及び後身頃１４を接合する接合部１０２も、固定部２５及び固定部２６としても機能している。
【００５２】
図７及び図８に示されるように、内装体３は、前身頃１３において、下側伸縮部３７の一部と厚さ方向Ｔに重複する範囲において、連結部３９を介して、外装体７の内側シート１９（具体的には、第１内側シート３１）に連結されている。また、内装体３は、後身頃１４において、下側伸縮部３８の一部と厚さ方向Ｔに重複する範囲において、連結部４０を介して、外装体７の内側シート２０（具体的には、第１内側シート３２）に連結されている。
【００５３】
図９には、前身頃１３において、突出部（図示せず）を形成する外側シート１７と、基部（図示せず）を形成する内側シート（図示せず）、具体的には、第２内側シート（図示せず）とを固定する固定部２５が示されている。固定部２５は、丈方向中心線ＬＣと交差する方向に延びる仮想線ｍ1〜ｍ6に沿って間欠的に配置されている。具体的には、仮想線ｍ1〜ｍ6のそれぞれは、展開状態の吸収性物品１において、丈方向の上方ほど丈方向中心線ＬＣと近づくように延びている。なお、固定部２５は、外側シート（図示せず）と、内側シート（図示せず）、具体的には、第２内側シート（図示せず）とを熱融着させることにより形成されている。
【００５４】
吸収性物品１を自然状態にし、上側伸縮部３５及び下側伸縮部３７を収縮させると、複数の襞部１５のそれぞれの基部２３を構成する内側シート１９は、上側伸縮部３５及び下側伸縮部３７の収縮に合わせて、その見かけ長さが短くなる。特に、下側伸縮部３７及び下側伸縮部３７と、厚さ方向Ｔに重複している内側シート１９の部分との見かけ長さが短くなると、内側シート１９において、接合部１０１及び仮想線ｍ1の間隔、仮想線ｍ1及び仮想線ｍ2の間隔、仮想線ｍ2及び仮想線ｍ3の間隔、仮想線ｍ3及び仮想線ｍ4の間隔、仮想線ｍ4及び仮想線ｍ5の間隔、仮想線ｍ5及び仮想線ｍ6の間隔、並びに仮想線ｍ6及び接合部１０２の間隔が狭くなる。
【００５５】
一方、外側シート１７は、下側伸縮部３７に直接固定されていないため、下側伸縮部３７の収縮に伴って収縮せず、その長さが概ね変化しない。従って、外側シート１７において、接合部１０１及び仮想線ｍ1の間隔、仮想線ｍ1及び仮想線ｍ2の間隔、仮想線ｍ2及び仮想線ｍ3の間隔、仮想線ｍ3及び仮想線ｍ4の間隔、仮想線ｍ4及び仮想線ｍ5の間隔、仮想線ｍ5及び仮想線ｍ6の間隔、並びに仮想線ｍ6及び接合部１０２の間隔が概ね変化しない。その結果、複数の襞部１５のそれぞれにおいて、突出部２１が形成される。
【００５６】
なお、内装体３は、下側伸縮部３７の一部と厚さ方向Ｔに重複する範囲において、連結部３９を介して、外装体７の内側シート１９（具体的には、第１内側シート３１）に連結されているので、内側シート１９において、仮想線ｍ2及び仮想線ｍ3の間隔と、仮想線ｍ3及び仮想線ｍ4の間隔と、仮想線ｍ4及び仮想線ｍ5の間隔とは、内装体３の存在により狭くなりにくい。従って、仮想線ｍ2及び仮想線ｍ3の間に形成される襞部１５ｃと、仮想線ｍ4及び仮想線ｍ5の間に形成される襞部１５ｄとは、接合部１０１及び仮想線ｍ1の間のに形成される襞部１５ａ、仮想線ｍ1及び仮想線ｍ2の間に形成される襞部１５ｂ、仮想線ｍ5及び仮想線ｍ6の間に形成される襞部１５ｅ、並びに仮想線ｍ6及び接合部１０２の間に形成される襞部１５ｆよりも、その高さが低くなりやすい。その結果、第１実施形態に従う吸収性物品１が、所定の厚さ要件を満たしやすくなる。
【００５７】
同様の理由で、後身頃１４において、仮想線ｎ2及び仮想線ｎ3の間に形成される襞部１６ｃと、仮想線ｎ4及び仮想線ｎ5の間に形成される襞部１６ｄとは、接合部１０１及び仮想線ｎ1の間のに形成される襞部１６ａ、仮想線ｎ1及び仮想線ｎ2の間に形成される襞部１６ｂ、仮想線ｎ5及び仮想線ｎ6の間に形成される襞部１６ｅ、並びに仮想線ｎ6及び接合部１０２の間に形成される襞部１６ｆよりも、その高さが低くなりやすい。その結果、第１実施形態に従う吸収性物品１が、所定の厚さ要件を満たしやすくなる。
【００５８】
自然状態の吸収性物品１は、外装体７の丈方向の上方ほど収縮性が高い。上側伸縮部３５及び上側伸縮部３６は、下側伸縮部３７及び下側伸縮部３８よりも収縮性が阻害されにくいためである。従って、展開状態の吸収性物品１において、丈方向の上方ほど長手方向中心線ＬＣと近づくように延びている仮想線ｍ1〜ｍ6のそれぞれと、仮想線ｎ1〜ｎ6のそれぞれとは、自然状態の吸収性物品１において、展開状態の吸収性物品１と比較して、丈方向の上方ほど丈方向中心線ＬＣとより近づくように延びることとなる（丈方向中心線ＬＣと形成する角度が大きくなる）。従って、使用者は、吸収性物品１をパッケージ等から取り出した際に、丈方向中心線ＬＣと平行である丈方向境界部ＢL、ひいては吸収体５を視認しにくくなり、吸収性物品１に使い捨て物品感を覚えにくくなる。
【００５９】
また、図９に示されるように、前身頃１３において、固定部２５は、周囲方向Ｐに平行な仮想線ｍ7及び仮想線ｍ8に沿って間欠的に配置されている。仮想線ｍ7及び仮想線ｍ8に沿って間欠的に配置されている固定部２５は、複数の襞部１５が延びる方向の両端に配置された固定部であり、そして仮想線ｍ7に沿って間欠的に配置されている固定部２５は、吸収性物品１の使用時に、複数の襞部１５が捲れ上がることを防止する機能を有する。
【００６０】
また、図９に示されるように、後身頃１４において、固定部２６は、周囲方向Ｐに平行な仮想線ｎ7及び仮想線ｎ8に沿って間欠的に配置されている。仮想線ｎ7及び仮想線ｎ8に沿って間欠的に配置されている固定部２６は、複数の襞部１６が延びる方向の両端に配置された固定部であり、そして仮想線ｎ7に沿って間欠的に配置されている固定部２６は、吸収性物品１の使用時に、複数の襞部１６が捲れ上がることを防止する機能を有する。
【００６１】
本開示の吸収性物品では、上記所定の厚さ要件は、非重複領域における外装体の最大厚さが、重複領域における外装体の最大厚さよりも厚いことを意味し、そして非重複領域における外装体の最大厚さが、重複領域における外装体の最大厚さよりも、好ましくは１．１倍以上、より好ましくは１．２倍以上、さらに好ましくは１．３倍以上厚いことを意味する。そうすることにより、使用者が、吸収性物品の外観から吸収体の存在を感じにくくなり、そして使用者が、上記吸収性物品に使い捨て物品感を覚えにくくなる。
【００６２】
本開示の吸収性物品では、上記所定の厚さ要件は、非重複領域における外装体の最大厚さが、重複領域における外装体の最大厚さよりも、好ましくは２．０倍以下、より好ましくは１．８倍以下、そしてさらに好ましくは１．６倍以下厚いことを意味する。吸収性物品の外観の観点からである。
【００６３】
本開示の吸収性物品では、吸収性物品の周囲方向において、所定の厚さ要件を満たすことが好ましい。使用者は、吸収性物品を、胴周り開口部が上を向くように保持するのが一般的であるが、そのように保持した場合に、使用者は、左右の状態、特に厚さの相違に敏感であるからである。また、本開示の吸収性物品では、吸収性物品の丈方向において、所定の厚さ要件を満たしてもよい。本開示の吸収性物品を、パッケージから取り出した場合に、吸収性物品を、一時的に、脚周り開口部が上を向くように（胴周り開口部が横を向くように）保持する場合もあるからである。
【００６４】
外装体は、２０％圧縮試験後に、所定の厚さ要件を満たすことが好ましい。吸収性物品は、通常、積み重ねられた、複数の吸収性物品を、パッケージ内に封入した状態で販売され、吸収性物品は、使用されるまで、荷重が加わった状態で保持されることが多い。従って、外装体が、２０％圧縮試験後に所定の厚さ要件を満たすことにより、使用者が、パッケージに保持された吸収性物品を取り出した際に、吸収性物品に使い捨て物品感を覚えにくくなる。
【００６５】
２０％圧縮試験は、以下の通り実施される。
（１）恒温恒湿室（温度２５±５℃，相対湿度６５±５％）に、吸収性物品のサンプル１０個を、自然状態で２４時間静置する。
（２）１０個のサンプルを、胴周り開口部及び一対の脚周り開口部の位置を揃えて、前身頃が上を向くように、試験台（アクリル板）の上に積み重ねる。
（３）１０個のサンプルの上に、圧縮板（アクリル板，サイズ：３００ｍｍ×３００ｍｍ）を、１０個のサンプルに１ｋｇの荷重がかかるように、圧縮版の中心及びサンプルの中心が一致するように、そして圧縮版が水平になるように配置し、配置から１時間後に、１０個のサンプルの初期厚さ：ｈ0を測定する。
【００６６】
（４）初期厚さ：ｈ0を測定した後、圧縮板の上におもりを、１０個のサンプルの圧縮後厚さ：ｈ1が、初期厚さ：ｈ0の８０±２％（ｈ1＝（０．８±０．０２）×ｈ0）の範囲に入るように載せる。なお、圧縮後厚さ：ｈ1の調整は、短時間、例えば、１分以内に完了することが好ましい。
（５）圧縮板の上におもりを載せてから２４時間後に、圧縮板及びおもりを除去する。
なお、２０％圧縮試験後の外装体の厚さ（最大厚さ等）は、圧縮板及びおもりを除去してから１時間以内に測定されることが好ましい。
【００６７】
本開示の吸収性物品では、外装体の最大厚さは、２次元レーザー変位計を用いて測定する。上記２次元レーザー変位計としては、例えば、キーエンス株式会社製  高精度２次元レーザー変位計  ＬＪ−Ｇシリーズ（型式：ＬＪ−Ｇ０３０）が挙げられる。
【００６８】
本開示の吸収性物品において、外装体が複数の襞部を有する場合には、外装体が、前身頃に、上記複数の襞部を備えることが好ましく、そして外装体が、前身頃及び後身頃の両方に、複数の襞部を備えることがより好ましい。使用者は、吸収性物品を使用するに当たり、最終的には、前身頃を手前に向けて使用することが多いが、吸収性物品をパッケージ等から取り出した際に、後身頃が手前を向いていることもあるからである。外装体が、後身頃に、上記複数の襞部を備えることにより、そのような場合でも、使用者が、本開示の吸収性物品に使い捨て物品感を覚えにくくなる。
【００６９】
本開示の吸収性物品において、外装体が複数の襞部を有する場合には、外装体が、境界部の少なくとも一部を含むように複数の襞部を備えることが好ましく、そして境界部の全部を含むように複数の襞部を備えていてもよい。そうすることにより、自然状態の吸収性物品において、外観から吸収体が視認しにくくなり、使用者が、本開示の吸収性物品に使い捨て物品感を覚えにくくなる。
【００７０】
本開示の吸収性物品において、外装体が複数の襞部を有し且つ境界部が丈方向境界部を有する場合には、外装体が、丈方向境界部の少なくとも一部を含むように複数の襞部を備えることが好ましく、そして丈方向境界部の全部を含むように複数の襞部を備えることがより好ましい。使用者が、吸収性物品の外観から、色の相違による吸収体の存在を感じにくくなり、上記吸収性物品に使い捨て物品感を覚えにくくなるからである。
【００７１】
本明細書では、丈方向境界部は、境界部のうち、丈方向から±３０°の範囲内の角度を有するものを意味する。また、周囲方向境界部は、境界部のうち、周囲方向（丈方向と直交する方向）から±３０°の範囲内の角度を有するものを意味する。なお、境界部が湾曲している場合には、上記角度は、湾曲する境界部の接線の角度を意味する。
【００７２】
本開示の吸収性物品において、外装体が複数の襞部を有する場合には、第１実施形態に示されるように、複数の襞部が、丈方向境界部と交差する方向に延びていることが好ましい。そうすることにより、使用者が、丈方向境界部と交差する方向に延びている複数の襞部に着目しやすくなる。従って、使用者が、吸収性物品の外観から、吸収体の存在を感じにくくなり、上記吸収性物品に使い捨て物品感を覚えにくくなる。
【００７３】
本開示の吸収性物品において、外装体が複数の襞部を有する場合には、複数の襞部が、好ましくは１０〜３０ｍｍ、より好ましくは１３〜２７ｍｍ、そしてさらに好ましくは１５〜２５ｍｍの幅を有するものを含む。そうすることにより、複数の襞部の向きが不規則になり、複数の襞部がランダムに見えやすくなり、使用者が、吸収性物品に使い捨て物品感を覚えにくくなる。
【００７４】
本開示の吸収性物品において、外装体が複数の襞部を有する場合には、外装体が、胴周り開口部から、丈方向の下方に延び且つ胴周り領域内に配置された外側シートと、当該外側シートより内側に配置された内側シートとを備え、複数の襞部のそれぞれが、外側シートの一部から構成される突出部と、内側シートの一部から構成される基部と、突出部を基部に固定する固定部とを備えること（以下、「複数の襞部が２層構造を有する」と称する場合がある）が好ましい。
【００７５】
そうすることにより、複数の襞部のそれぞれが、突出部、基部及び固定部を備えるので、突状部が、上記吸収性物品の厚さ方向の圧縮力に強く、潰れにくくなる。その結果、突出部と、基部との間に空隙が生じやすくなり、吸収性物品の外側から、吸収体の外縁における色の相違が透けて見えにくくなる。従って、使用者が、吸収性物品の外観から、色の相違による吸収体の存在を感じにくくなり、そして使用者が、上記吸収性物品に使い捨て物品感を覚えにくくなる。
【００７６】
本開示の吸収性物品において、外装体が複数の襞部を有し且つ複数の襞部が２層構造を有する場合には、好ましくは自然状態の吸収性物品において、そしてより好ましくは展開状態の吸収性物品において、固定部が、丈方向中心線が延びる方向と交差する方向に、連続的又は間欠的に延びていることが好ましい。そうすることにより、複数の襞部が丈方向境界部が延びる方向と交差する方向に延びやすくなり、ひいては、使用者が、本開示の吸収性物品に使い捨て物品感を覚えにくくなる。
【００７７】
本開示の吸収性物品において、外装体が複数の襞部を有し且つ複数の襞部が２層構造を有する場合には、内側シートが、周囲方向に延びる、上側伸縮部と、当該上側伸縮部よりも丈方向の下側に配置された下側伸縮部とを備え、外装体が、下側伸縮部と、外側シートとが、固定部を除いて連結していない非連結領域を有することが好ましい。そうすることにより、当該非連結部において、下側伸縮部が、外側シートの剛性の影響を受けにくくなり、上記外装体、ひいては上記吸収性物品が、着用時のフィット性に優れる。また、上記吸収性物品では、上記非連結部において、外側シートが、下側伸縮部の収縮に伴う皺を有しにくくなり、上記吸収性物品は、外側シートの美観に優れ、そして使用者が、上記吸収性物品に下着感を覚えやすい。
【００７８】
本開示の吸収性物品において、外装体が複数の襞部を有し且つ複数の襞部が２層構造を有する場合であって、内側シートが上側伸縮部と、下側伸縮部とを備えるときには、吸収体が、内側シートと連結されている領域、すなわち、重複領域において、上側伸縮部及び／又は下側伸縮部（好ましくは、下側伸縮部）が伸縮性を有するか又は伸縮性を有しないことができ、そして伸縮性を有しないことが好ましい。重複領域において、上側伸縮部及び下側伸縮部が伸縮性を有する場合であっても、吸収体の存在により、内側シートは収縮性に劣るため、吸収性物品が、所定の厚さ要件を満たすことができる。しかし、重複領域において、上側伸縮部及び下側伸縮部が伸縮性を有しない場合には、重複領域において、内側シートが収縮性をほぼ有しないため、吸収性物品が所定の厚さ要件を満たしやすくなる。
【００７９】
本開示の吸収性物品において、外装体が複数の襞部を有し且つ複数の襞部が２層構造を有する場合には、外装体が、延びる方向の異なる複数の襞部を備えることが好ましい。そうすることにより、使用者が、本開示の吸収性物品に、使い捨て物品感を覚えにくくなる。襞部の延びる方向は、例えば、固定部の延びる方向により調整されうる。
【００８０】
また、本開示の吸収性物品において、外装体が複数の襞部を有し且つ複数の襞部が２層構造を有する場合には、非重複領域に存在する複数の襞部のそれぞれにおいて、突出部の幅が、基部の幅よりも、好ましくは１．５〜５．０倍、より好ましくは１．７〜４．０倍、そしてさらに好ましくは１．８〜３．０倍大きい。そうすることにより、非重複領域に存在する複数の襞部のそれぞれにおいて、突状部と基部との間に空隙が生じやすくなり、吸収性物品の外側から、吸収体の外縁における色の相違が外部から見えにくくなる。従って、使用者が、吸収性物品の外観から、色の相違による吸収体の存在を感じにくくなり、上記吸収性物品に使い捨て物品感を覚えにくくなる。
【００８１】
上記突出部の幅の要件は、吸収性物品の前身頃及び後身頃の一方で満たすことが好ましく、そして吸収性物品の前身頃及び後身頃の両方で満たすことがより好ましい。所定の厚さ要件を満たす観点からである。
【００８２】
本開示の吸収性物品において、外装体が複数の襞部を有する場合には、複数の襞部の好ましくは３０％以上、より好ましくは５０％以上、さらに好ましくは７０％以上、そしてさらにいっそう好ましくは１００％が、所定の厚さ要件を満たすことが好ましい。そうすることにより、使用者が、吸収性物品の外観から吸収体の存在を感じにくくなり、そして使用者が、上記吸収性物品に使い捨て物品感を覚えにくくなる。
なお、複数の襞部の１００％が、所定の厚さ要件を満たすとは、複数の襞部のそれぞれが、所定の厚さ要件を満たすことを意味する。
【００８３】
本開示の吸収性物品では、外装体が、重複領域において、襞部の存在しない襞部非存在領域を有することが好ましい。そうすることにより、外装体が所定の厚さ要件を満たしやすくなり、使用者が、吸収性物品の外観から吸収体の外縁を把握しにくくなり、上記吸収性物品に使い捨て物品感を覚えにくくなる。
【００８４】
本開示の吸収性物品では、外装体を構成するシート、例えば、外側シート及び内側シートとしては、当技術分野で用いられているものが特に制限なく採用され、例えば、布帛、例えば、不織布及び織布、フィルム等が挙げられる。外側シートとしては、吸収性物品の外観から吸収体を見えにくくする観点から、着色されていること、例えば、布帛の場合には、布帛を構成する繊維が白色顔料等を含むこと、フィルムの場合には、デザインを有すること等が好ましい。
【００８５】
本開示のパンツ型且つ使い捨ての吸収性物品としては、特に制限されず、パンツ型の使い捨ておむつ、使い捨てショーツ等が挙げられる。
【符号の説明】
【００８６】
１    吸収性物品
３    内装体
５    吸収体
６    外縁
７    外装体
９    胴周り開口部
１１，１２    脚周り開口部
１３    前身頃
１４    後身頃
１５，１６    襞部
１７，１８    外側シート
１９，２０    内側シート
２１，２２    突出部
２３，２４    基部
２５，２６    固定部
３１，３２    第１内側シート
３３，３４    第２内側シート
３５，３６    上側伸縮部
３７，３８    下側伸縮部
３９，４０    連結部
１０１，１０２    接合部
１０３，１０４    弾性部材
１０５，１０６    防漏壁
Ｃ    クロッチ領域
Ｗ    胴周り領域
Ｌ    丈方向
Ｐ    周囲方向
Ｔ    厚さ方向
Ｘ    重複領域
Ｙ    非重複領域
Ｚ    襞部不存在領域
Ｂ    境界部
ＢL    丈方向境界部
ＢP    周囲方向境界部
ＬＣ    丈方向中心線
【図１】
0006395761.tif 000002
【図２】
0006395761.tif 000003
【図３】
0006395761.tif 000004
【図４】
0006395761.tif 000005
【図５】
0006395761.tif 000006
【図６】
0006395761.tif 000007
【図７】
0006395761.tif 000008
【図８】
0006395761.tif 000009
【図９】
0006395761.tif 000010